(57)【要約】【課題】鍵盤楽器の良好な外観を保ちながら、押鍵ストローク及びハンマーストロークをきめ細かく調整することができることにより、演奏時における弱音のコントロール性を十分に得ることができるとともに、ダイナミックレンジをより一層広げることができる鍵盤楽器のストローク調整装置を提供する。【解決手段】複数の鍵７ａの押鍵ストローク及び複数のハンマー２７のハンマーストロークを調整する鍵盤楽器のストローク調整装置４０であって、鍵盤枕１９を、所定の基準高さと押上げ高さとの間で昇降するための鍵盤枕昇降機構４１と、鍵７ａと同様に構成されるとともに、鍵盤７の側方に隣接した状態に配置され、鍵盤枕昇降機構４１を駆動するために前端部が押し下げ操作されるストローク調整キー１０と、このストローク調整キー１０の操作に伴って生じる動力を鍵盤枕昇降機構４１に伝達する動力伝達機構４３と、を備えている。【選択図】図７
2018054802.tif 000002
【特許請求の範囲】
【請求項１】
各々が前後方向に延びかつ長さ方向の中央付近に設けられた支点を中心として揺動自在に構成され、互いに左右方向に並設された複数の鍵を有する鍵盤と、前記複数の鍵の各々の上面に、前記支点よりも後ろ側に載置され、対応する鍵の押鍵に連動する複数のアクションと、これらのアクションごとに設けられ、対応するアクションに連動して回動することにより、張設された弦を打弦する複数のハンマーと、を備えた鍵盤楽器において、前記鍵盤の左右方向に沿って延び、離鍵状態における前記複数の鍵の後端部が載置された鍵盤枕を、所定高さに調整することにより、前記複数の鍵の押鍵ストローク及び前記複数のハンマーのハンマーストロークを調整する鍵盤楽器のストローク調整装置であって、
前記鍵盤枕を、所定の基準高さと、これよりも高い押上げ高さとの間で昇降するための鍵盤枕昇降機構と、
前記鍵と同様に構成されるとともに、前記鍵盤の側方に隣接した状態に配置され、前記鍵盤枕昇降機構を駆動するために前端部が押し下げ操作される操作用鍵と、
この操作用鍵の操作に伴って生じる動力を前記鍵盤枕昇降機構に伝達する動力伝達機構と、
を備えていることを特徴とする鍵盤楽器のストローク調整装置。
【請求項２】
前記鍵盤枕昇降機構は、
前記鍵盤枕の下側に、当該鍵盤枕の長さ方向の全体にわたって延びるとともに、回転自在に設けられ、前記動力伝達機構に連結された回転軸と、
この回転軸の外周面に設けられ、前記鍵盤枕に下方から当接し、前記回転軸の所定角度の回転に伴い、前記鍵盤枕を押し上げる鍵盤枕押上げ部と、
を有していることを特徴とする請求項１に記載の鍵盤楽器のストローク調整装置。
【請求項３】
前記鍵盤枕昇降機構は、
前記鍵盤枕の下側に、当該鍵盤枕の長さ方向の全体にわたって延びるとともに、回転自在に設けられ、前記動力伝達機構に連結された回転軸と、
この回転軸の長さ方向の所定位置に設けられ、当該回転軸と一体に回転する複数のギヤ部と、
これらの複数のギヤ部にそれぞれ噛み合い、上下方向に移動自在の複数のラック部と、
これらのラック部にわたって延びるとともに前記鍵盤枕の下面に当接し、前記回転軸の所定角度の回転に伴い、前記複数のラック部と一体に上下方向に移動することにより、前記鍵盤枕を昇降させる昇降部と、
を有していることを特徴とする請求項１に記載の鍵盤楽器のストローク調整装置。
【請求項４】
前記動力伝達機構は、前記操作用鍵の後端部と前記回転軸の端部との間を連結し、当該操作用鍵の揺動に連動して、前記回転軸を回転させるリンク機構を有していることを特徴とする請求項２又は３に記載の鍵盤楽器のストローク調整装置。
【請求項５】
前記鍵盤枕を複数の所定高さに設定するために、前記回転軸を複数の回転角度にロックするロック機構を、さらに備えていることを特徴とする請求項１ないし４のいずれかに記載の鍵盤楽器のストローク調整装置。
【発明の詳細な説明】
【技術分野】
【０００１】
本発明は、鍵盤楽器のストローク調整装置に関し、特に、鍵が押し下げられる深さである押鍵ストローク、及び押鍵に伴って回動するハンマーとそのハンマーが打弦する弦との距離であるハンマーストロークを調整するための鍵盤楽器のストローク調整装置に関する。
【背景技術】
【０００２】
従来、この種のストローク調整装置として、例えば特許文献１に記載されたものが知られている。このストローク調整装置は、一般的なグランドピアノと同様の鍵盤、アクション及びハンマーを有する鍵盤式打楽器に適用されている。この鍵盤式打楽器では、グランドピアノと同様、棚板上に設けられた筬に、鍵盤が下方から支持された状態で載置されている。鍵盤は、前後方向に延びかつ左右方向に並んだ多数の鍵（白鍵及び黒鍵）を有しており、各鍵が、前後方向の中央付近に立設されたバランスピンを中心として揺動自在になっている。また、各鍵には、バランスピンよりも後方にアクションが載置されており、その上部に、上方に回動自在のハンマーが設けられるとともに、ハンマーの上方に前後方向に延びる金属製の発音体が設置されている。このように構成された鍵盤式打楽器では、演奏時に鍵の前端部が押し下げられると、鍵の後部が上動し、アクションが作動する。そして、このアクションにより、ハンマーが押し上げられることによって上方に回動し、発音体を下方から打つことによって楽音が発生する。
【０００３】
また、上記の鍵盤式打楽器に適用されたストローク調整装置は、鍵盤式打楽器の下部に設けられたストローク調整用のペダル（以下、本欄において「ストロークペダル」という）と、このストロークペダルの後端部から上方に延びるとともに、上端部が棚板を貫通して上方に突出するペダル連結棒と、このペダル連結棒から前方に延びるように設けられるとともに前端部が棚板に回動自在に支持されたアームと、このアームの上側に設けられ、筬から上方に出没可能に構成された左右方向に延びるリフティングバーと、このリフティングバーを上方から覆った状態で筬上に設けられ、鍵盤の全ての鍵の後端部が載置されるバックフェルトなどを備えている。
【０００４】
演奏者によってストロークペダルが踏み込まれると、ペダル連結棒が上方にスライドし、アームが上方に回動する。これに伴い、リフティングバーが筬から上方に突出し、バックフェルトを介して、全ての鍵の後端部が押し上げられる。加えて、鍵の後部に載置されたアクションも押し上げられることで、ハンマーも上方に若干、回動した状態に押し上げられる。以上により、全ての鍵の後端部が押し上げられた分、全ての鍵の前端部が下がることにより、鍵の押鍵ストロークが短くなるとともに、ハンマーが押し上げられることによって発音体に近づき、ハンマーストロークも短くなる。その結果、押鍵に伴って上方に回動するハンマーの勢いが弱くなることで、発音体に当たったときの音量が小さくなり、演奏時に弱音が出せるようになっている。
【先行技術文献】
【特許文献】
【０００５】
【特許文献１】特許５０７０８４４号公報
【発明の概要】
【発明が解決しようとする課題】
【０００６】
上述した従来のストローク調整装置では、ストロークペダルを踏み込んだ状態で左方にずらすように操作することにより、ストロークペダルを踏み込んだ状態に維持し、それにより、押鍵ストローク及びハンマーストロークを短くした状態に維持することが可能である。しかし、このストローク調整装置では、押鍵ストローク及びハンマーストロークはいずれも、ストロークペダルの踏込みの有無による２つのストロークにしか設定することができない。そのため、押鍵ストローク及びハンマーストロークをきめ細かく調整することができず、演奏時における弱音のコントロール性が十分とは言えない。
【０００７】
また、上記のストローク調整装置を、一般に３つのペダル（ソフトペダル、ソステヌートペダル及びラウドペダル）を備えるグランドピアノに適用する場合、上記のストロークペダルを新たに追加しなければならない。この場合、既存のグランドピアノに対し、大幅な設計変更及び多数の追加部品が必要となり、その分、製造コストが上昇してしまう。
【０００８】
さらに、グランドピアノに適用されるストローク調整装置の操作機構を、上記のようなペダルに変えて、例えば、棚板の下面に設け、手動で操作可能なものにすることも考えられる。しかし、棚板の下面にそのような操作機構が設置されると、その重量で棚板が垂れ下がる状態になることがあり、その場合には、ピアノの各種の調整が狂うおそれもある。加えて、上記のピアノが演奏会などで用いられると、ストローク調整装置の棚板下面の操作機構が観客側から見え、一般的なグランドピアノとの違いから観客に違和感を感じさせてしまう。
【０００９】
本発明は、以上のような課題を解決するためになされたものであり、鍵盤楽器の良好な外観を保ちながら、押鍵ストローク及びハンマーストロークをきめ細かく調整することができ、それにより、演奏時における弱音のコントロール性を十分に得ることができるとともに、より小さな音を出すことが可能になることで、ダイナミックレンジをより一層広げることができる鍵盤楽器のストローク調整装置を提供することを目的とする。
【課題を解決するための手段】
【００１０】
上記の目的を達成するために、請求項１に係る発明は、各々が前後方向に延びかつ長さ方向の中央付近に設けられた支点を中心として揺動自在に構成され、互いに左右方向に並設された複数の鍵を有する鍵盤と、複数の鍵の各々の上面に、支点よりも後ろ側に載置され、対応する鍵の押鍵に連動する複数のアクションと、これらのアクションごとに設けられ、対応するアクションに連動して回動することにより、張設された弦を打弦する複数のハンマーと、を備えた鍵盤楽器において、鍵盤の左右方向に沿って延び、離鍵状態における複数の鍵の後端部が載置された鍵盤枕を、所定高さに調整することにより、複数の鍵の押鍵ストローク及び複数のハンマーのハンマーストロークを調整する鍵盤楽器のストローク調整装置であって、鍵盤枕を、所定の基準高さと、これよりも高い押上げ高さとの間で昇降するための鍵盤枕昇降機構と、鍵と同様に構成されるとともに、鍵盤の側方に隣接した状態に配置され、鍵盤枕昇降機構を駆動するために前端部が押し下げ操作される操作用鍵と、この操作用鍵の操作に伴って生じる動力を鍵盤枕昇降機構に伝達する動力伝達機構と、を備えていることを特徴とする。
【００１１】
この構成によれば、鍵盤楽器における押鍵ストローク及びハンマーストロークを調整する場合、操作用鍵を操作することにより、その操作に伴って生じる動力が動力伝達機構を介して、鍵盤枕昇降機構に伝達される。この鍵盤枕昇降機構が駆動されることにより、鍵盤枕は、所定の基準高さから押上げ高さ側に押し上げられる。このように鍵盤枕が押し上げられると、離鍵状態における複数の鍵の後端部が押し上げられ、それにより、各鍵は支点を中心として前下がりの方向に若干揺動する。その結果、各鍵では、後端部が押し上げられた分と同程度、前端部が下がり、鍵が押し下げられる深さである押鍵ストロークが、押上げ前に比べて短くなる。また、この場合、鍵の支点よりも後ろ側に載置されたアクションも押し上げられ、それにより、回動するハンマーが弦に近づく。その結果、ハンマーでは、弦に近づいた分、ハンマーと弦の距離であるハンマーストロークが、押上げ前に比べて短くなる。
【００１２】
また、押鍵ストローク及びハンマーストロークを調整する際に押下げ操作される操作用鍵は、鍵盤の鍵と同様に構成され、鍵盤の側方に隣接した状態に配置されている。このため、操作機構としての前述した従来のストロークペダルや、棚板の下面に設けられるものと異なり、大幅な設計変更や追加部品を必要とすることなく、また、観客に違和感を感じさせることなく、鍵盤楽器の良好な外観を確保することができる。
【００１３】
以上のように、本発明のストローク調整装置によれば、鍵と同様に構成された操作用鍵を押下げ操作することによって、動力伝達機構を介して鍵盤枕昇降機構を駆動することができるので、鍵盤楽器の良好な外観を保ちながら、鍵盤枕を基準高さと押上げ高さとの間で昇降し、押鍵ストローク及びハンマーストロークを容易に調整することができる。それにより、演奏時における弱音のコントロール性を十分に得ることができるとともに、より小さな音を出すことが可能になることにより、ダイナミックレンジをより一層広げることができる。
【００１４】
請求項２に係る発明は、請求項１に記載の鍵盤楽器のストローク調整装置において、鍵盤枕昇降機構は、鍵盤枕の下側に、鍵盤枕の長さ方向の全体にわたって延びるとともに、回転自在に設けられ、動力伝達機構に連結された回転軸と、この回転軸の外周面に設けられ、鍵盤枕に下方から当接し、回転軸の所定角度の回転に伴い、鍵盤枕を押し上げる鍵盤枕押上げ部と、を有していることを特徴とする。
【００１５】
この構成によれば、操作用鍵の押下げ操作によって生じる動力が、動力伝達機構を介して、それが連結された回転軸に伝達され、回転軸が回転する。この場合、回転軸が所定角度、回転することにより、鍵盤枕押上げ部によって、鍵盤枕を押し上げる。このように、鍵盤枕を昇降する鍵盤枕昇降機構を、上記の回転軸及び鍵盤枕押上げ部による比較的簡単な構成で、容易に実現することができる。
【００１６】
請求項３に係る発明は、請求項１に記載の鍵盤楽器のストローク調整装置において、鍵盤枕昇降機構は、鍵盤枕の下側に、鍵盤枕の長さ方向の全体にわたって延びるとともに、回転自在に設けられ、動力伝達機構に連結された回転軸と、この回転軸の長さ方向の所定位置に設けられ、回転軸と一体に回転する複数のギヤ部と、これらの複数のギヤ部にそれぞれ噛み合い、上下方向に移動自在の複数のラック部と、これらのラック部にわたって延びるとともに鍵盤枕の下面に当接し、回転軸の所定角度の回転に伴い、複数のラック部と一体に上下方向に移動することにより、鍵盤枕を昇降させる昇降部と、を有していることを特徴とする。
【００１７】
この構成によれば、操作用鍵の押下げ操作によって生じる動力が、動力伝達機構を介して、それが連結された回転軸に伝達され、回転軸が回転する。この回転軸には、その長さ方向の所定位置に、回転軸と一体に回転する複数のギヤ部が設けられており、これらのギヤ部にそれぞれ、複数のラック部が噛み合うとともに、これらのラック部にわたって、鍵盤枕の下面に当接する昇降部が延びている。そして、操作用鍵の操作に連動して、回転軸が所定角度、回転すると、これと一体に複数のギヤ部も回転し、これらに噛み合う複数のラック部と一体に昇降部が上下方向に移動することにより、鍵盤枕を昇降させる。このように、鍵盤枕を昇降する鍵盤枕昇降機構を、上記の回転軸、ギヤ部、ラック部及び昇降部による比較的簡単な構成で、容易に実現することができる。
【００１８】
請求項４に係る発明は、請求項２又は３に記載の鍵盤楽器のストローク調整装置において、動力伝達機構は、操作用鍵の後端部と回転軸の端部との間を連結し、操作用鍵の揺動に連動して、回転軸を回転させるリンク機構を有していることを特徴とする。
【００１９】
この構成によれば、操作用鍵の後端部と回転軸の端部との間を連結するリンク機構により、操作用鍵の揺動に連動して、回転軸が回転する。このように、操作用鍵の操作によって生じる動力を、リンク機構によって、回転軸に容易にかつ安定して伝達することができ、回転軸の円滑な回転を確保することができる。
【００２０】
請求項５に係る発明は、請求項１ないし４のいずれかに記載の鍵盤楽器のストローク調整装置において、鍵盤枕を複数の所定高さに設定するために、回転軸を複数の回転角度にロックするロック機構を、さらに備えていることを特徴とする。
【００２１】
この構成によれば、ロック機構によって回転軸を複数の回転角度にロックすることにより、鍵盤枕を複数の高さに設定することができる。それにより、押鍵ストローク及びハンマーストロークのきめ細かな調整を確保することができる。
【図面の簡単な説明】
【００２２】
【図１】本発明の一実施形態によるストローク調整装置を適用したグランドピアノの外観を示す斜視図であり、ストローク調整キーを鍵盤の左端部とともに拡大して示す。
【図２】図１のグランドピアノの棚板、筬及び鍵盤枕を示す斜視図である。
【図３】ストローク調整装置の鍵盤枕昇降機構を、鍵、アクション及びハンマーなどとともに示す左側面図であり、（ａ）は全体を示し、（ｂ）は後半部を拡大して示している。
【図４】ストローク調整装置を、鍵、アクション及びハンマーなどとともに示す左側面図であり、（ａ）はストローク調整装置の全体を示すとともにロック機構を拡大して示し、（ｂ）はストローク調整装置の後半部をその周囲とともに拡大して示している。
【図５】鍵盤枕昇降機構の押上げ回転軸を示す図であり、（ａ）は斜視図、（ｂ）は左側面図である。
【図６】押上げ回転軸の回転動作による鍵盤枕の押上げを説明するための図であり、（ａ）は鍵盤枕の押上げ前の状態、（ｂ）は鍵盤枕を最も高い位置に押し上げた状態を示す。
【図７】（ａ）及び（ｂ）は、図６（ａ）及び（ｂ）にそれぞれ対応する図であり、ストローク調整キーを押し下げた状態を示している。
【図８】ロック機構によるストローク調整キーのロック動作及びその解除動作を説明するための図である。
【図９】鍵盤枕昇降機構の変形例を示す斜視図である。
【図１０】図９の鍵盤枕昇降機構を分解して示す斜視図である。
【図１１】図１０の鍵盤枕昇降機構の駆動軸及び鍵盤枕押上げ部材の一部を拡大して示すとともに、鍵盤枕押上げ部材のラック部を拡大して示している。
【図１２】鍵盤枕及び鍵盤枕昇降機構を示す左側面図である。
【図１３】駆動軸の回転動作及びこれに伴う鍵盤枕押上げ部材の上昇動作による鍵盤枕の押上げを説明するための図であり、（ａ）は鍵盤枕の押上げ前の状態、（ｂ）は鍵盤枕を押し上げた状態を示す。
【発明を実施するための形態】
【００２３】
以下、図面を参照しながら、本発明の好ましい実施形態を詳細に説明する。図１は、本発明の一実施形態によるストローク調整装置を適用したグランドピアノを示している。同図に示すように、このグランドピアノ１（鍵盤楽器）は、ピアノ本体２と、これを下方から支持する３つの脚３と、ピアノ本体２の下方に設けられ、３つのペダル４ａを有するペダル組立品４などで構成されている。
【００２４】
ピアノ本体２は、その底面前半部を構成する平板状の棚板５を備えており、この棚板５上に後述する筬６が載置され、この筬６によって、鍵盤７が下方から支持されている。鍵盤７は、各々が前後方向に延びる多数（例えば８８鍵）の鍵（白鍵及び黒鍵）７ａを有しており、これらの鍵７ａが左右方向に並んだ状態で配置されている。
【００２５】
また、図１に拡大して示すように、鍵盤７の左方には、拍子木９との間に、白鍵の鍵７ａと同様に構成され、ストローク調整装置の後述する鍵盤枕昇降機構４１を駆動するために操作され、それにより、押鍵ストローク及びハンマーストロークを調整するストローク調整キー１０（操作用鍵）が設けられている。なお、ストローク調整キー１０の詳細については後述する。
【００２６】
図２に示すように、筬６は、スプルスなどの木質材を井桁状に組み立てたものであり、左右方向に延びる筬前１１、筬中１２及び筬後１３、並びにこれらを連結する前後方向に延びる左右の筬妻１４、１４、及びそれらの間に互いに左右方向に間隔を隔てて配置された複数（図２では４つ）の筬中束１５などで構成されている。筬前１１及び筬中１２にはそれぞれ、多数のフロントピン１６及びバランスピン１７（図３等参照）が立設されており、各鍵７ａが、対応するバランスピン１７（支点）を中心として揺動自在に支持されるとともに、フロントピン１６により、横振れが防止されるようになっている。
【００２７】
筬後１３上には、その長さ方向に沿って、複数（本実施形態では５つ）の鍵盤枕１９が載置されている。各鍵盤枕１９は、フェルトなどから成り、平面形状が横長矩形状に形成されている。そして、これらの鍵盤枕１９には、鍵７ａの前端部が押し下げられていない離鍵状態において、鍵盤７の後ろ下がりに傾斜する全ての鍵７ａの後端部が載置されている。また、筬後１３には、各鍵盤枕１９の直ぐ下側に、ストローク調整装置の後述する鍵盤枕昇降機構４１が埋設されている。
【００２８】
筬６の左右両端部には、左右の筬妻１４、１４上に前後方向に延びるブラケット台２１、２１が設置されるとともに、これらの間の筬中束１５及び筬後１３上に、複数（本実施形態では４つ）の中間ブラケット台２２が設置されている。また、これらのブラケット台２１及び中間ブラケット台２２を介して、所定形状の複数（本実施形態では６つ）のブラケット２３（図３（ａ）参照）が筬６上に設置され、これらのブラケット２３に、左右方向に延びるウィッペンレール２４及びハンマーシャンクレール２５（図３参照）が掛け渡されている。そして、これらのウィッペンレール２４及びハンマーシャンクレール２５にそれぞれ、複数のアクション２６及びハンマー２７が鍵７ａごとに回動自在に支持されている。
【００２９】
ここで、図３（ａ）及び（ｂ）を参照して、アクション２６及びハンマー２７について簡単に説明する。同図に示すように、アクション２６は、ウィッペン３１、レペティションレバー３２及びジャック３３を有している。ウィッペン３１は、ウィッペンレール２４にねじ止めされたウィッペンフレンジ３４に回動自在に支持されるとともに、鍵７ａの後部の所定位置に立設されたキャプスタンスクリュー８に載置されている。また、レペティションレバー３２及びジャック３３は、ウィッペン３１の上端部及び前端部（図３の右端部）にそれぞれ回動自在に支持され、ジャック３３の上端部がレペティションレバー３２の前部を貫通した状態でこれに係合している。
【００３０】
一方、ハンマー２７は、前後方向に所定長さ延びるハンマーシャンク３６と、その先端部に設けられたハンマーヘッド３７と、ハンマーシャンク３６の基端寄りの所定位置に下方に突設されたシャンクローラ３８とを有している。そして、このハンマー２７は、ハンマーシャンク３６の基端部において、ハンマーシャンクレール２５にねじ止めされたハンマーシャンクフレンジ３９に回動自在に支持されるとともに、シャンクローラ３８がレペティションレバー３２に載置されている。
【００３１】
以上のように構成されたアクション２６及びハンマー２７では、対応する鍵７ａの前端部が押し下げられると、鍵７ａの後部が上動する。それに伴い、アクション２６では、ウィッペン３１が上方に回動しながら、レペティションレバー３２及びジャック３３が所定動作を実行する。これにより、ハンマー２７が上方に回動し、水平に張設された弦Ｓをハンマーヘッド３７で下方から打弦することによって、楽音が発生する。
【００３２】
次に、本発明の実施形態によるストローク調整装置について説明する。図４に示すように、ストローク調整装置４０は、前記鍵盤枕昇降機構４１と、これを駆動するために、鍵７ａと同様の押下げによって操作される前記ストローク調整キー１０と、このストローク調整キー１０の押下げ操作に伴って生じる動力を鍵盤枕昇降機構４１に伝達する動力伝達機構４３とを備えている。
【００３３】
鍵盤枕昇降機構４１は、複数の鍵盤枕１９の長さ方向の全体にわたって、より具体的には、筬後１３の長さ方向に沿って、その全体にわたって延びる棒状に形成され、中心軸線を中心として所定角度、回転することにより、全ての鍵盤枕１９を押し上げる押上げ回転軸４５を有している。図５（ａ）及び（ｂ）に示すように、押上げ回転軸４５は、横断面が所定の径を有する円形の回転軸本体４５ａ（回転軸）と、その外周面に、長さ方向に沿って延びるように設けられ、回転軸本体４５ａの径方向に所定長さ突出し、複数の鍵盤枕１９にそれぞれ対応して設けられた複数の押上げ凸部４５ｂ（鍵盤枕押上げ部）とで構成されており、回転軸本体４５ａが複数の軸受け（図示せず）により回転自在に支持されている。
【００３４】
図４に示すように、ストローク調整キー１０は、前述したように、白鍵の鍵７ａと同様に構成されている。すなわち、このストローク調整キー１０は、前後方向に所定長さ延び、バランスピン１７を中心として揺動自在に支持されている。また、ストローク調整キー１０は、鍵盤７の左端の鍵７ａに隣接した状態で、その左方に配置されている（図１参照）。
【００３５】
一方、動力伝達機構４３は、ストローク調整キー１０の後端部（図４の左端部）と、押上げ回転軸４５の左端部とを連結するリンク機構４６によって構成されている。図４（ｂ）に示すように、リンク機構４６は、前下がりに傾斜した状態で所定長さ延び、一端部がストローク調整キー１０の左側面の後端部に回動自在に連結された第１リンク４７と、前記押上げ回転軸４５の径方向に所定長さ延び、一端部が第１リンク４７の前端部に回動自在に連結されるとともに、他端部が押上げ回転軸４５の左端部に回転不能に連結された第２リンク４８とで構成されている。
【００３６】
また、このストローク調整装置４０には、鍵盤枕１９を複数の高さに設定するために、押上げ回転軸４５を複数の回転角度にロックするロック機構５１が設けられている。このロック機構５１は、図４（ａ）に示すように、ストローク調整キー１０の左側面の前端部に回動自在に設けられたロック部材５２と、拍子木９の右側面に固定され、ロック部材５２が係脱可能な複数のロック凹部５３ａを有するロックプレート５３などで構成されている。
【００３７】
ロック部材５２は、上下方向に所定長さ延び、上端部がストローク調整キー１０に回動自在に支持されるとともに、下端部には、鉤状に形成されたロック爪５２ａが設けられている。なお、このロック部材５２は、図示しないばねにより、その上端部を中心として、図４（ａ）における時計方向に回動するように付勢されている。
【００３８】
一方、ロックプレート５３には、前部（図４（ａ）の右部）が鋸歯状に形成されることにより、複数（本実施形態では３つ）のロック凹部５４が上下方向に並んだ状態になっている。また、各ロック凹部５４は、上部に水平面５４ａを有するとともに、その水平面５４ａから前下がりに傾斜する傾斜面５４ｂとで構成されている。なお、最下位のロック凹部５４では、傾斜面５４ｂが他のロック凹部５４に比べて前方に長く形成されている。
【００３９】
以上のように構成されたストローク調整装置４０では、ストローク調整キー１０の前端部を押し下げることにより、ストローク調整キー１０の後端部が上動し、それに伴い、リンク機構４６を介して、押上げ回転軸４５が、図４における時計方向に所定角度、回転する。
【００４０】
図６（ａ）及び（ｂ）はそれぞれ、ストローク調整キー１０が押し下げられていない状態にあるとき（図４参照）、及び最も下側の位置にロックされているとき（図７参照）の押上げ回転軸４５の回転角度位置を示している。図６（ａ）に示すように、ストローク調整キー１０が押し下げられていないときには、鍵盤枕１９は、押上げ回転軸４５の回転軸本体４５ａの外周面に上方から当接しており、最も低い高さである基準位置に位置している。一方、図６（ｂ）に示すように、ストローク調整キー１０が押し下げられ、最も下側の位置にロックされているときには、押上げ回転軸４５が同図における時計方向に所定角度（例えば最大で１００度）、回転し、鍵盤枕１９が押上げ凸部４５ｂによって、所定高さＨ（例えば１．５ｍｍ）高い、押上げ高さに押し上げられる。
【００４１】
上記のように、鍵盤枕１９が押し上げられると、図７に示すように、鍵盤７における全ての鍵７ａの後端部が押し上げられ、それにより、各鍵７ａは、対応するバランスピン１７を中心として前下がり（図７では右下がり）の方向に若干揺動する。その結果、鍵７ａでは、後端部が押し上げられた分とほぼ同程度、前端部が下がり、鍵７ａが押し下げられる深さである押鍵ストロークが、押上げ前に比べて短くなる。
【００４２】
また、この場合、鍵７ａの後端部が押し上げられることにより、鍵７ａの後部のキャプスタンスクリュー８に載置されたアクション２６も押し上げられる。そして、アクション２６のレペティションレバー３２にシャンクローラ３８を介して載置されたハンマー２７は、図７に示すように、反時計方向に若干回動し、それにより、ハンマーヘッド３７が上方の弦Ｓに近づく、その結果、ハンマー２７では、ハンマーヘッド３７が弦Ｓに近づいた分、ハンマーヘッド３７と弦Ｓの距離であるハンマーストロークが、押上げ前に比べて短くなる。
【００４３】
図８は、ロック機構５１によるストローク調整キー１０のロック動作及びその解除動作を示している。具体的には、同図（ａ）に示す状態から、ストローク調整キー１０の前端部（同図の右端部）が押し下げられると、ロック部材５２が、ロックプレート５３の最上位のロック凹部５４における傾斜面５４ａからの反力により、ロック部材５２のばねの付勢力に抗して反時計方向に回動する。これにより、ロック部材５２は、そのロック爪５２ａがロック凹部５４から外れ、その直後、ばねの付勢力で時計方向に回動することにより、直ぐ下側のロック凹部５４に係合する。その結果、ストローク調整キー１０が、押し下げられた状態にロックされるとともに、押上げ回転軸４５が、リンク機構４６を介して、所定角度、回転した状態にロックされる。これに伴い、鍵盤枕１９は、押上げ回転軸４５で押し上げられた状態に保持される。以上の動作は、ストローク調整キー１０を、図８（ｂ）に示す状態から同図（ｃ）に示す状態に押し下げた場合も同様である。なお、同図（ｃ）では、鍵盤枕１９は、最も高い押上げ位置に保持される（図７参照）。
【００４４】
一方、ロック機構５１によるストローク調整キー１０のロックを解除する場合には、そのストローク調整キー１０の前端部を、図８（ｄ）に示すように、最下位まで押し下げる。この場合、ロック部材５２は、ロックプレート５３の最下位のロック凹部５４における長い傾斜面５４ｂにより、反時計方向に大きく回動する。そして、その状態において、ストローク調整キー１０から指を離すことにより、ストローク調整キー１０が、図８（ａ）に示す状態に戻るとともに、ロック部材５２が時計方向に回動し、最上位のロック凹部５４に係合する。このように、ストローク調整キー１０のロックが解除されることにより、押上げ回転軸４５のロックも解除され、回転前の元の回転角度に戻り、押し上げられていた鍵盤枕１９も元の基準位置に戻る。
【００４５】
なお、上述したストローク調整キー１０の戻りは、鍵盤７の自重による鍵盤枕１９の押圧により、押上げ回転軸４５が元の回転角度に戻るように回転し（図６（ａ）参照）、それに伴い、リンク機構４６を介して、ストローク調整キー１０の前端部が上動することによって行われる。
【００４６】
また、図８（ｄ）から（ａ）へのストローク調整キー１０の戻りの速度は、ロック部材５２のばねの付勢力が調整されることにより、そのロック部材５２の時計方向への回動によるロック凹部５４との係合よりも早くなるように設定されている。これにより、ストローク調整キー１０がロックされた状態において、ストローク調整キー１０を最下位まで押し下げることにより、そのロックを容易に解除することができる。
【００４７】
以上のように、本実施形態によれば、鍵盤７の左方に配置されたストローク調整キー１０を押下げ操作することによって、リンク機構４６を介して、押上げ回転軸４５を所定角度で回転駆動することができるので、グランドピアノ１の良好な外観を保ちながら、鍵盤枕１９を昇降し、押鍵ストローク及びハンマーストロークを容易にかつきめ細かく調整することができる。それにより、演奏時における弱音のコントロール性を十分に得ることができるとともに、より小さな音を出すことが可能になることにより、ダイナミックレンジをより一層広げることができる。
【００４８】
次に、図９〜１３を参照して、本発明のストローク調整装置４０における前記鍵盤枕昇降機構４１の変形例について説明する。図９及び１０に示すように、この変形例の鍵盤枕昇降機構６１は、前述した筬後１３の長さ方向の全体にわたって延び、所定形状に成形されたベース６２と、このベース６２の長さ方向に沿って所定長さ延び、複数の軸受け６３を介して、ベース６２に回転自在に取り付けられた駆動軸６４と、ベース６２に上下方向に移動自在に案内され、駆動軸６４の所定角度の回転に伴い、複数の鍵盤枕１９をそれぞれ押し上げる複数（本実施形態では５つ）の鍵盤枕押上げ部材６５と、を有している。
【００４９】
ベース６２は、所定形状の金属板を折曲げ加工することなどによって、上方に開放するコ字状に成形され、筬後１３に埋設された状態で取り付けられている。ベース６２の前後の上端部６２ａ、６２ａはいずれも、外方に直角に屈曲されることで、水平に形成されており、これらの上端部６２ａ、６２ａに跨った状態で、鍵盤枕１９が載置されている（図１２参照）。
【００５０】
また、駆動軸６４は、ベース６２とほぼ同様の長さを有する回転軸本体７１（回転軸）と、この回転軸本体７１の長さ方向の複数の所定位置にそれぞれ固定され、回転軸本体７１と一体に回転する複数（本実施形態では１０個）の駆動ローラ７２とを有している。これらの駆動ローラ７２は、互いに所定間隔を隔てた２つを１組とする複数組（本実施形態では５組）で構成されており、各組の駆動ローラ７２、７２が、回転軸本体７１の長さ方向に沿って配置されている。また、各駆動ローラ７２は、円筒状に形成されており、内側に回転軸本体７１が貫通し、外周面にギヤ部７２ａが形成されている。
【００５１】
さらに、各鍵盤枕押上げ部材６５は、図１１及び１２に示すように、各組の両駆動ローラ７２、７２のギヤ部７２ａ、７２ａにそれぞれ噛み合い、ブロック状に形成されたラック部６６、６６と、両ラック部６６、６６間にわたって延びる細長い板状に形成され、鍵盤枕１９の下面に当接する昇降部６７とで構成されている。各ラック部６６には、下方に開放するガイド穴６６ａが形成されている。そして、このガイド穴６６ａには、ベース６２の所定位置に立設され、鍵盤枕押上げ部材６５を上下方向に案内するガイドピン６８が下方から挿入されている。
【００５２】
以上のように構成された鍵盤枕昇降機構６１では、前記鍵盤枕昇降機構４１と同様、ストローク調整キー１０が押下げ操作されることにより、リンク機構４６を介して、駆動軸６４が、図１３における時計方向に所定角度、回転する。これにより、図１３（ｂ）に示すように、全ての鍵盤枕押上げ部材６５は、駆動軸６４の駆動ローラ７２に噛み合うラック部６５を介して、上方に駆動され、鍵盤枕１９を所定高さＨ（例えば１．５ｍｍ）高い、押上げ高さに押し上げる。
【００５３】
以上のように、この鍵盤枕昇降機構６１も、前述した鍵盤枕昇降機構４１と同様、鍵盤枕１９を昇降することができ、それにより、鍵ストローク及びハンマーストロークを容易に調整することができる。
【００５４】
なお、本発明は、説明した上記実施形態に限定されることなく、種々の態様で実施することができる。例えば、実施形態では、本発明のストローク調整装置４０をグランドピアノに適用した場合について説明したが、本発明はこれに限定されるものではなく、アップライトピアノにも適用することが可能である。また、実施形態では、第１リンク４７及び第２リンク４８を有するリンク機構４６によって、動力伝達機構４３を構成したが、本発明はこれに限定されるものではなく、ストローク調整キー１０の押下げ操作によって生じる動力を、鍵盤枕昇降機構４１、６１に伝達可能であれば、その他の適当な機構を動力伝達機構として採用することも可能である。さらに、実施形態では、ストローク調整キー１０を、鍵盤７の低音側である左方に設けたが、鍵盤７の高音側である右方に設けることも可能である。
【００５５】
また、実施形態で示したストローク調整装置４０の細部の構成などは、あくまで例示であり、本発明の趣旨の範囲内で適宜、変更することができる。
【符号の説明】
【００５６】
１    グランドピアノ（鍵盤楽器）
５    棚板
６    筬
７    鍵盤
７ａ  鍵
１０    ストローク調整キー（操作用鍵）
１７    バランスピン（支点）
１９    鍵盤枕
２６    アクション
２７    ハンマー
３７    ハンマーヘッド
４０    ストローク調整装置
４１    鍵盤枕昇降機構
４３    動力伝達機構
４５    押上げ回転軸
４５ａ  回転軸本体（回転軸）
４５ｂ  押上げ凸部（鍵盤枕押上げ部）
４６    リンク機構
５１    ロック機構
６１    鍵盤枕昇降機構
６４    駆動軸
６５    鍵盤枕押上げ部材
６６    ラック部
６７    昇降部
７１    回転軸本体（回転軸）
７２    駆動ローラ
７２ａ  ギヤ部
Ｓ    弦
Ｈ    所定高さ
【図１】
2018054802.tif 000003
【図２】
2018054802.tif 000004
【図３】
2018054802.tif 000005
【図４】
2018054802.tif 000006
【図５】
2018054802.tif 000007
【図６】
2018054802.tif 000008
【図７】
2018054802.tif 000009
【図８】
2018054802.tif 000010
【図９】
2018054802.tif 000011
【図１０】
2018054802.tif 000012
【図１１】
2018054802.tif 000013
【図１２】
2018054802.tif 000014
【図１３】
2018054802.tif 000015